(57)【要約】【課題】天候の状況を確実に把握し、伝達できる自動洗濯物干し装置を提供する。【解決手段】伝動ユニット１１及び複数のフック１２とが設置された滑動レール１と、伝動ユニットに固定された複数のフックと、滑動レールの伝動ユニットを動かし複数のフックを往復移動させるモータ２とから構成される。制御ユニット３には、光線センサー３４、水滴センサー３５及びタイマーコントローラー３６が連結され、モーターは光線センサー、水滴センサー又はタイマーコントローラーによって伝送された信号に基づき作動する。【選択図】図１
0003130195.tif 000002
【実用新案登録請求の範囲】
【請求項１】
伝動ユニット及び複数のフックとが設置された滑動レールと、伝動ユニットに固定された複数のフックと、滑動レールの伝動ユニットを動かし複数のフックを往復移動させるモータとを備える自動洗濯物干し装置において、
制御ユニットには、光線センサー、水滴センサー及びタイマーコントローラーが連結され、光線センサー、水滴センサー又はタイマーコントローラーによって伝送された信号に基づき、モータが作動することを特徴とする自動洗濯物干し装置。
【請求項２】
前記滑動レールには、接触点が設置されることを特徴とする請求項１に記載の自動洗濯物干し装置。
【請求項３】
前記制御ユニットには、電源スイッチ、自動制御キー及び手動制御キーが設置されることを特徴とする請求項１に記載の自動洗濯物干し装置。
【請求項４】
前記制御ユニットには、タイマーコントローラーのタイマーが設置されることを特徴とする請求項１に記載の自動洗濯物干し装置。
【請求項５】
前記制御ユニットには、リモコンが設置されることを特徴とする請求項１に記載の自動洗濯物干し装置。
【請求項６】
前記自動洗濯物干しには、支持フレームが設置されることを特徴とする請求項１に記載の自動洗濯物干し装置。
【請求項７】
前記自動洗濯物干しには、収納棚が設置されることを特徴とする請求項１に記載の自動洗濯物干し装置。
【請求項８】
前記収納棚には、遮蔽板が設置されることを特徴とする請求項７に記載の自動洗濯物干し装置。
【請求項９】
前記モータ及び制御ユニットは、電源が太陽エネルギー板及び蓄電池であることを特徴とする請求項１に記載の自動洗濯物干し装置。
【請求項１０】
前記制御ユニットとモータ、光線センサー及び水滴センサーとは、伝送インターフェイスが有線伝送又は無線伝送であることを特徴とする請求項１に記載の自動洗濯物干し装置。
【考案の詳細な説明】
【技術分野】
【０００１】
本考案は、自動洗濯物干し装置に関するものであり、特に光及び雨などの状況に応じて自動送出、もしくは取り込みを行うものである。
【背景技術】
【０００２】
現在、台湾の下記の「自動洗濯物干し装置」は、主にベランダに設置する本体、本体の平面台、その平面台に設置するモータ、控制コード、平面台と連接して固定する一方向に伸びた方形管フレーム及びその付属機構等を含んで構成される。また、方形管フレームの両端には、それぞれ微動スイッチ及び末端設置のセンサーを設置し、干した衣類が天候の変化によって自動的に衣類を送出し、もしくは自動的に取り込む。
また、台湾の下記の「自動洗濯物干し改良結構」は、基礎フレーム、回転フレーム、調整台及び固定台等を組み立てて構成され、更にセンサーと共に、洗濯物干しの内フレーム体を伸ばしたり、収納したりする。回転フレームは、追動して洗濯物干しの使用方向を適度に回転させ、洗濯物を自動で乾かしたり、衣類を収納したりする。
【０００３】
【特許文献１】台湾  実用新案登録第４９０６４号
【特許文献２】台湾  実用新案登録第３９１４３８号
【考案の開示】
【考案が解決しようとする課題】
【０００４】
解決しようとする問題点は、公知の自動洗濯物干しは、すべてにセンサーが設置されているが、そのセンサーは天候の要素に関して定義が確定していないため、確実に衣類を取り込めない点である。
【課題を解決するための手段】
【０００５】
本考案では、滑動レールを設置し、そこには伝動ユニット及び複数のフックを設置し、複数のフックは伝動ユニットに固定される。モータは、滑動レールの伝動ユニットを動かし、複数のフックを往復移動させる。制御ユニットは、少なくとも光線センサー、水滴センサー又はタイマーコントローラーが伝送した信号によってモータの作動を制御する。光線センサー、水滴センサー及びタイマーコントローラーは、制御ユニットに連結されることを最も主要な特徴とする。
【考案の効果】
【０００６】
本考案の自動洗濯物干し装置は、下述の利点がある。
（１）本考案では、手動（手動制御キー）もしくは自動（自動制御キー）に而衣類の送出又は取り込みを行う。
（２）本考案では、自動制御キーによって光線を検知し、衣類の送出又は取り込みを行い、夕方の黄昏時には衣類を自動的に取り込む。
【０００７】
（３）本考案では、自動制御キーによって雨の滴を感知し、衣類の送出又は取り込みを制御する。雨の時には衣類を自動的に取り込み、雨が止んで光線が十分であれば、自動的に衣類を送り出す。
（４）本考案では、タイマーコントローラーによって、固定時間を設定し、衣類の取り込みを制御する。
（５）本考案では、手動で衣類の送出し行程の距離を調整する。干す衣類が少ない場合は、送出し行程を短くし、使用者の求めに応じて制御する。
【０００８】
（６）本考案では、建物壁面に垂直にベランダ壁から衣類を送出し、衣類を十分に日に当て、且つベランダの空間を節約する。もし、常に衣類が多い場合には、洗濯物干しを更に設置して使用者の需要に応える。
（７）本考案では、リモコンによって遠隔又は高所から制御ユニットをコントロールする。
（８）本考案には太陽エネルギー板及び蓄電池を設置し、電力を節約し、環境保護効果を備える。
【考案を実施するための最良の形態】
【０００９】
本考案は、公知の洗濯物干しのセンサーが天候の状況を確実に把握、伝達できない点を改善する自動洗濯物干しを提供する。本考案には、滑動レールを含み、そこには伝動ユニット及び複数のフックが設置される。複数のフックは、伝動ユニットに固定される。モータは、滑動レールの伝動ユニットを動かし、複数のフックを往復移動させる。制御ユニットは、光線センサー、水滴センサー及びタイマーコントローラーを連結し、少なくとも光線センサー、水滴センサー又はタイマーコントローラーが伝達した信号によってモータの作動をコントロールする。
【００１０】
上述の滑動レールには接触点が設置される。
上述の制御ユニットには電源スイッチ、自動制御キー及び手動制御キーを設置する。
上述の制御ユニットには、タイマーコントローラーを設置し、タイマーが設置される。
上述の自動洗濯物干しには、更に支持フレームを設置する。
上述の自動洗濯物干しには、更に収納棚を設置する。
上述の制御ユニットにはリモコンを設置する。
上述の制御ユニットとモータ、光線センサー及び水滴センサーとの伝送インターフェイスは、有線伝送とする。
上述の制御ユニットとモータ、光線センサー及び水滴センサーとの伝送インターフェイスは、無線伝送とする。
上述のモータ及び制御ユニットの電源は、太陽エネルギー板及び蓄電池とする。
【実施例】
【００１１】
（実施例１）
まず、図１に示すとおり、本実施例は下述を含む。
滑動レール１には伝動ユニット１１及び複数のフック１２を設置し、その複数のフック１２は伝動ユニット１１に固定され、滑動レール１には接触点１３を設置する。また、滑動レール１の最も外側には支持フレーム１４を設置して滑動レール１の積載力を高める。滑動レール１には別に収納棚１５を設置し、取り込んだ衣類が雨に濡れるのを防ぐ。また、収納棚１５の前端には出入口１５１を設置し、更に遮蔽板１５２を設置して出入口１５１を塞ぐ。
【００１２】
モータ２は、滑動レール１の伝動ユニット１１を動かし、複数のフック１２を往復移動させる。
制御ユニット３には、電源スイッチ３１、自動制御キー３２及び手動制御キー３３を設置し、別に制御ユニット３は、光線センサー３４、水滴センサー３５及びタイマーコントローラー３６を連結したもので、少なくとも光線センサー３４、水滴センサー３５もしくはタイマーコントローラー３６が伝送した信号、又は控制モータ２の作動に基づき、光線センサー３４、水滴センサー３５もしくはタイマーコントローラー３６が自動制御キー３２を押すことによって始動する。即ち、自動制御キー３２が光線センサー３４、水滴センサー３５もしくはタイマーコントローラー３６を操作又は制御し、伝動ユニット１１の送出もしくは取り込みを制御する。
【００１３】
上述の光線センサー３４は、仮に光線の光が不足していると感知すると、信号を制御ユニット３へ送る。水滴センサー３５は、水滴が入ると感知し、信号を制御ユニット３へ送る。
他に制御ユニット３は、タイマーコントローラー３６と共にタイマー３６１を設置して時間をはかる。
【００１４】
図２に示すとおり、本実施例では自動及び手動に分けられる。制御ユニット３には手動制御キー３３及び自動制御キー３２を設置する。手動制御キー３３は、送出及び取り込みの二つの方向に分かれ、直接制御ユニット３で制御してモータ２を始動し伝動ユニット１１の「送出」又は「取り込み」が動く。手動制御キー３３の「送出」方向を押すと、外に向かって伸び始め、手動制御キー３３の押圧を緩めると、外へ伸びるのを停止する。よって、外へ伸ばす距離は、使用者の求めに応じて調整され、干す衣類が少ない時には伸ばす距離を短くする。
【００１５】
本実施例では太陽エネルギー板４及び蓄電池４１を設置して制御ユニット３及びモータ２の電源とする。
図３に示すのは、本実施例の外観図であり、その収納棚１５は封鎖空間を形成し、取り込んだ衣類が雨で濡れたり、湿気に曝されたりしないようにする。
【００１６】
図４に示すのは、本考案の実施例であり、使用者が衣類を干し終わった時、制御ユニット３の電源スイッチ３１を押し、更にタイマーコントローラー３６のタイマー３６１を調整して「時」及び「分」を設定する。その後、手動制御キー３３又は自動制御キー３２を押してモータ２を始動させ、滑動レール１の伝動ユニット１１を動かす。そして複数のフック１２をひとつずつ送出し、一番外側のフック１２が滑動レール１の接触点１３に接触すると、モータ２はすぐに回転を停止する。またフックを収納する時は、内側のフック１２が滑動レール１の終点に接触した時（図１参照）、モータ２は回転を停止する。
図５に示すのは水滴センサー３５の外観図であり、水滴Ａが水滴センサー３５の納置槽３５１内に落ちると、正極線３５２又は負極線３５３に電気が通り、信号を制御ユニット３に伝送し（図未提示）、自動的に衣類を取り込む工程に入る。
【００１７】
（実施例２）
図６に示すのは、本考案の別の実施例であり、ここには二組の洗濯物干し共用の制御ユニット３を設置する。制御ユニット３には、手動制御キー３３Ａを設置して一組だけの操作も行えるようにする。その二組にはどちらにも収納棚１５を設置して、取り込んだ衣類が雨にかからないようにし、また洗濯物干しを保護する作用を備える。
【００１８】
図７に示すのは、本実施例をベランダに設置した時の指示図及び操作指示図である。この洗濯物干しは建物の壁面に固定され、滑動レール１の一端からベランダ外壁へ伸び、衣類を日に当てて、更にベランダの空間を節約する。常に洗濯物が多い場合には、更に多組の洗濯物干しを設置して使用者の求めに応える。
【００１９】
本実施例では、衣類を取り込む時、下述のモジュールを実施する。
（１）タイマーモジュール：タイマーコントローラーが設定した時間に達すると、自動的に衣類を取り込む。
（２）手動モジュール：手動制御キーを押すと、衣類を取り込む。
【００２０】
（３）自動モジュール：自動制御キーを押すと、雨が降った時、水滴センサーが信号を受け、自動的に衣類を取り込み、設定時間内に雨が止めば自動的に外に出す。もし、光線が不足している場合、光線センサーが信号を受け自動的に衣類を取り込み、設定時間内に光線が回復すれば、再び自動的に外に出す。また、水滴センサーが信号を受けると、光線センサーが信号を受けたかどうかに関わらず自動的に衣類を取り込む。
【００２１】
本実施例では、更にリモコンを設置し、使用者は遠距離から制御ユニット３をリモートコントロールする。
上述の制御ユニットとモータ、光線センサーもしくは水滴センサーの伝送インターフェイスとは、有線伝送（ケーブル、ネット等）、又は無線伝送（無線ネット、ブルートゥース、ＦＭ等）とし、図示は無線伝送方式である。
【図面の簡単な説明】
【００２２】
【図１】本考案の実施例１による自動洗濯物干し装置の回収状態を示す組立説明図である。
【図２】本考案の実施例１による自動洗濯物干し装置の作動ブロックダイアグラムである。
【図３】本考案の実施例１による自動洗濯物干し装置の外観を示す斜視図である。
【図４】本考案の実施例１による自動洗濯物干し装置の送出状態を示す組立説明図である。
【図５】本考案の実施例１による自動洗濯物干し装置の光線センサーの構造及び作動を示す説明図である。
【図６】本考案の実施例２による自動洗濯物干し装置の二組の洗濯物干しと制御ユニットとを示す説明図である。
【図７】本考案の実施例１による自動洗濯物干し装置をベランダに設置した状態を示す説明図である。
【符号の説明】
【００２３】
１:滑動レール、１１：伝動ユニット、１２：フック、１３：接触点、１４：支持フレーム、１５：収納棚、１５１：出入口、１５２：遮蔽板、２：モータ、３：制御ユニット、３１：電源スイッチ、３２：自動制御キー、３３：手動制御キー、３３Ａ：手動制御キー、３４：光線センサー、３５：水滴センサー、３５１：納置槽、３５２：正極線、３５３：負極線、３６：タイマーコントローラー、３６１：タイマー、４：太陽エネルギー板、４１：蓄電池、Ａ：水滴
【図１】
0003130195.tif 000003
【図２】
0003130195.tif 000004
【図３】
0003130195.tif 000005
【図４】
0003130195.tif 000006
【図５】
0003130195.tif 000007
【図６】
0003130195.tif 000008
【図７】
0003130195.tif 000009